(57)【要約】【課題】利便性の高い空気調和機の室内機を提供すること。【解決手段】室内機が、ケーシング（１，２，３）と、ケーシング（１，２，３）の内部に配置された遠心ファン（３０）と、操作部（９１）を有する操作基板（９０）が内部に収容された電装品箱（８）とを備える。ケーシング（１，２，３）が、内部に遠心ファン（３０）が配置されたケーシング本体（１）と、ケーシング本体（１）に取り付けられ遠心ファン（３０）を露出可能なパネル開口部（２ａ）が設けられた開口面（２ｂ）を有するパネル（２）とを有し、電装品箱（８）が、パネル開口部（２ａ）から操作基板（９０）が露出して、操作部（９１）を操作可能に配置されている。【選択図】図６
2018197639.tif 000002
【特許請求の範囲】
【請求項１】
ケーシング（１，２，３）と、
上記ケーシング（１，２，３）の内部に配置された遠心ファン（３０）と、
操作部（９１）を有する操作基板（９０）が内部に収容された電装品箱（８）と
を備え、
上記ケーシング（１，２，３）が、
内部に上記遠心ファン（３０）が配置されたケーシング本体（１）と、
上記ケーシング本体（１）に取り付けられ、上記遠心ファン（３０）を露出可能なパネル開口部（２ａ）が設けられた開口面（２ｂ）を有するパネル（２）と
を有し、
上記電装品箱（８）が、
上記パネル開口部（２ａ）から上記操作基板（９０）が露出して、上記操作部（９１）を操作可能に配置されている、空気調和機の室内機。
【請求項２】
請求項１の空気調和機の室内機において、
上記電装品箱（８）が、
上記開口面（２ｂ）に交差する方向に延びる第１部分（８１）と、
上記開口面（２ｂ）に沿って延び、かつ、内部に上記操作基板（９０）が収容された第２部分（８２）と
を有する、空気調和機の室内機。
【請求項３】
請求項２の空気調和機の室内機において、
上記電装品箱（８）が、
上記第２部分（８２）に設けられ、上記操作基板（９０）を露出可能な電装品開口部（８３）と、
上記電装品開口部（８３）を開閉可能に覆うカバー（８４）と
を有する、空気調和機の室内機。
【請求項４】
請求項１から３のいずれか１つの空気調和機の室内機において、
パネル（２）側から上記電装品箱（８）を取り付け可能かつ取り外し可能な上記電装品箱（８）の取付構造部（８５，８６，８７，１１１，１１２）をさらに備える、空気調和機の室内機。
【発明の詳細な説明】
【技術分野】
【０００１】
本発明は、空気調和機の室内機に関する。
【背景技術】
【０００２】
特許文献１には、天井開口部に取り付けられた天井パネルと、この天井パネルに対応して天井内に配設された空気調和機本体と、天井内に配置された制御箱とを備える天井埋め込み型の空気調和機が開示されている。この空気調和機では、制御箱が、天井内から天井開口部を介して天井外に移動可能に構成されている。
【先行技術文献】
【特許文献】
【０００３】
【特許文献１】実用新案昭６０−０６３７１８号公報
【発明の概要】
【発明が解決しようとする課題】
【０００４】
しかし、上記空気調和機では、少なくとも制御箱を移動させて天井外に位置させなければ、場合によっては天井パネルを取り外さなければ、制御箱を空けてメンテナンス等を行うことができず、利便性が高いとはいえなかった。
【０００５】
そこで、本発明は、利便性の高い空気調和機の室内機を提供することを課題とする。
【課題を解決するための手段】
【０００６】
本発明の一態様の空気調和機の室内機は、
ケーシングと、
上記ケーシングの内部に配置された遠心ファンと、
操作部を有する操作基板が内部に収容された電装品箱と
を備え、
上記ケーシングが、
内部に上記遠心ファンが配置されたケーシング本体と、
上記ケーシング本体に取り付けられ、上記遠心ファンを露出可能なパネル開口部が設けられた開口面を有するパネルと
を有し、
上記電装品箱が、
上記パネル開口部から上記操作基板が露出して、上記操作部を操作可能に配置されている。
【０００７】
前記態様の空気調和機の室内機によれば、電装品箱が、パネルのパネル開口部から操作基板が露出して、操作部を操作可能に配置されている。これにより、電装品箱をケーシングの外部に位置させることなく操作基板の操作部を操作できるので、利便性の高い空気調和機の室内機を実現できる。
【０００８】
また、本発明の一態様の空気調和機の空気調和機は、
上記電装品箱が、
上記開口面に交差する方向に延びる第１部分と、
上記開口面に沿って延び、かつ、内部に上記操作基板が収容された第２部分と
を有する。
【０００９】
前記態様の空気調和機の空気調和機によれば、操作基板が収容された第２部分のみがパネルのパネル開口部から露出するように、電装品箱が配置されている。これにより、例えば、パネルのパネル開口部から第１部分および第２部分が露出するように電装品箱が配置されている空気調和機の室内機と比べて、パネルのパネル開口部における電装品箱が占めるスペースを省略して、ケーシングの小型化を図ることができる。
【００１０】
また、本発明の一態様の空気調和機の空気調和機は、
上記電装品箱が、
上記第２部分に設けられ、上記操作基板を露出可能な電装品開口部と、
上記電装品開口部を開閉可能に覆うカバーと
を有する。
【００１１】
前記態様の空気調和機の空気調和機によれば、操作基板を必要なときに容易に露出させることができるので、利便性の高い空気調和機の室内機を実現できる。
【００１２】
また、本発明の一態様の空気調和機の空気調和機は、
パネル側から上記電装品箱を取り付け可能かつ取り外し可能な上記電装品箱の取付構造部をさらに備える。
【００１３】
前記態様の空気調和機の空気調和機によれば、パネル側から、電装品箱をケーシングのケーシング本体に容易に取り付けることができ、また、電装品箱をケーシングのケーシング本体から容易に取り外すことができるので、利便性の高い空気調和機の室内機を実現できる。
【発明の効果】
【００１４】
本発明の空気調和機の室内機によれば、利便性の高い空気調和機の室内機を実現できる。
【図面の簡単な説明】
【００１５】
【図１】本発明の一実施形態の配管固定構造を備えた空気調和機の室内機の斜視図。
【図２】図１の室内機の底面図。
【図３】図２のIII-III線に沿った断面図。
【図４】図１の室内機の電装品箱の斜視図。
【図５】図１の室内機からグリルを取り外した状態を示す斜視図。
【図６】図５の室内機から電装品箱のカバーを取り外した状態を示す斜視図。
【図７】図５のVII-VII線に沿った断面図。
【図８】図１の室内機のターボファン、熱交換器、および、仕切板の一例を示す平面図。
【発明を実施するための形態】
【００１６】
以下、本発明の一実施形態を添付図面に従って説明する。なお、以下の説明では、必要に応じて特定の方向あるいは位置を示す用語（例えば、「上」、「下」、「右」、「左」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００１７】
一実施形態の空気調和機の室内機１００は、図１に示すように、ケーシング本体１と、ケーシング本体１の一端（すなわち、図１の下端）に設けられた矩形板状のパネル２と、パネル２に取り付けられたグリル３とで構成されたケーシングを備えている。
【００１８】
ケーシング本体１は、略矩形箱状を有し、図３に示すように、その内部に、遠心ファンの一例のターボファン３０と、熱交換器４０と、仕切板５０とが収容されている。
【００１９】
ケーシング本体１のパネル２が取り付けられている面には、パネル２の板面に直交する方向に沿って見た平面視（以下、単に平面視という）において矩形状の吸込口１ａが設けられている。図２に示すように、ターボファン３０は、平面視において、吸込口１ａに位置するように配置されている。また、図３に示すように、ケーシング本体１の吸込口１ａとターボファン３０との間には、ベルマウス３２が設けられ、吸込口１ａとグリル３との間には、フィルタ４が設けられている。
【００２０】
熱交換器４０および仕切板５０は、図３に示すように、ターボファン３０の回転軸３１周りに配置されている。また、熱交換器４０および仕切板５０のケーシング本体１の吸込口１ａ側（すなわち、図３の下側）には、ドレンパン６０が配置されている。
【００２１】
熱交換器４０には、２つの管状の冷媒配管接続部５，６が接続されている。各冷媒配管接続部５，６は、図３に示すように、ケーシング本体１の内部の熱交換器４０から、平面視におけるケーシング本体１の長手方向に相対する一対の壁部１１０，１２０の一方（すなわち、図１の左側の壁部１１０）をその厚さ方向に貫通して、ケーシング本体１の外部まで延びている。また、各冷媒配管接続部５，６は、壁部１１０の平面視におけるケーシング本体１の短手方向の一端に配置されている。
【００２２】
また、図３に示すように、ケーシング本体１の内部には、ターボファン３０からの吹出空気をパネル２の吹出口１０に案内する通風路Ｐが設けられている。
【００２３】
図１に示すように、ケーシング本体１の壁部１１０には、この壁部１１０からケーシング本体１の外部に向かって突出するドレンソケット７が設けられている。このドレンソケット７は、ケーシング本体１の短手方向における壁部１１０の略中央部に配置され、ケーシング本体１の外部でドレンホース（図示せず）を接続可能に構成されている。また、この壁部１１０には、電装品箱８が固定されている。電装品箱８は、ケーシング本体１の短手方向において、壁部１１０のドレンソケット７に対する冷媒配管接続部５，６の反対側の端部に配置されている。
【００２４】
ケーシング本体１の平面視における長手方向に相対する一対の壁部１１０，１２０の各々には、空気調和機の室内機１００を天井から吊り下げるための吊りボルト（図示せず）を接続可能な吊り金具１０１〜１０４（吊り金具１０４は図５に示す）が設けられている。
【００２５】
パネル２は、図３および図５に示すように、その板厚方向の外面である開口面２ｂにパネル開口部２ａが設けられた凹部２ｃを有している。この凹部２ｃに、パネル２の板面に直交する方向に沿って見た平面視において矩形状のグリル３が着脱可能に取り付けられている。また、凹部２ｃの底面には、パネル２をその板厚方向に貫通する貫通孔２ｄが設けられており、この貫通孔２ｄにフィルタ４が配置されている。すなわち、図２に示すように、フィルタ４を取り外すことで、ターボファン３０が、貫通孔２ｄを介して、ケーシングの外部から視認可能になっている。
【００２６】
また、図２に示すように、パネル２のグリル３の長手方向の一方には、パネル２の短辺に沿って延びる吹出口１０が設けられている。この吹出口１０には、フラップ２０が回動可能に取り付けられている。なお、図１〜図３では、フラップ２０により吹出口１０が閉じられている状態を示している。
【００２７】
続いて、図４〜図７を参照して、上記室内機１００の電装品箱８についてより詳しく説明する。
【００２８】
電装品箱８は、図４に示すように、略Ｌ字状で、電源基板および制御基板等が内部に収容された第１部分８１と、各種セッティング等のための操作部９１を有する操作基板９０（図６に示す）が内部に収容された第２部分８２とを有している。
【００２９】
図５に示すように、第１部分８１は、パネル２の開口面２ｂに交差（例えば直交）する方向に延びている。また、第２部分８２は、パネル２の開口面２ｂに沿って延びており、その一部が、パネル２の凹部２ｃの底面において、貫通孔２ｄに対して吹出口１０の反対側で貫通孔２ｄに隣接して配置されて、凹部２ｃの底面から露出している。
【００３０】
図５および図６に示すように、第２部分８２の凹部２ｃから露出する部分には、第２部分８２の内部に収容された操作基板９０を露出可能な電装品開口部８３と、この電装品開口部８３を覆うカバー８４とが設けられている。すなわち、第２部分８２は、グリル３およびカバー８４を取り外すことで、その内部の操作基板９０が露出して、操作部９１を操作可能に配置されている。
【００３１】
なお、操作基板９０の操作部９１は、例えば、室内機１００を取り付けた後の試運転あるいは現地設定を行う際に使用される。
【００３２】
図７に示すように、電装品箱８の第１部分８１のケーシング本体１に対向する面には、弾性爪部８５が設けられている。この弾性爪部８５は、第１部分８１の延在方向（すなわち、図７の上下方向）の中央よりも第２部分８２から離れた位置から、第２部分８２から離れる方向（すなわち、図７の上向き）に向かって延びており、第１部分８１から離れる方向（すなわち、図７の左向き）に弾性変形可能に構成されている。
【００３３】
また、図７に示すように、ケーシング本体１の壁部１１０には、電装品箱８の弾性爪部８５を挿入可能な貫通孔１１１が設けられている。この貫通孔１１１に弾性爪部８５を挿入して、電装品箱８の第１部分８１と弾性爪部８５との間にケーシング本体１の壁部１１０が位置するように、電装品箱８をケーシング本体１のパネル２が取り付けられる面から離れる方向（すなわち、図７の上向き）に移動させることで、弾性爪部８５が第１部分８１から離れる方向に弾性変形して、弾性爪部８５と電装品箱８の第１部分８１とでケーシング本体１の壁部１１０を挟持する。これにより、電装品箱８がケーシング本体１に固定されて取り付けられるようになっている。
【００３４】
一方、ケーシング本体１に取り付けられている電装品箱８をケーシング本体１のパネル２が取り付けられる面に接近する方向（すなわち、図７の下向き）に移動させることで、弾性爪部８５と電装品箱８の第１部分８１とによるケーシング本体１の壁部１１０の挟持が解除される。これにより、電装品箱８がケーシング本体１から取り外されるようになっている。
【００３５】
また、図４に示すように、電装品箱８の第２部分８２における第１部分８１の近傍に、ねじ固定部８６が設けられ、図７に示すように、ケーシング本体１のパネル２が取り付けられる面の壁部１１０近傍に、ねじ孔部１１２が設けられている。上記室内機１００では、電装品箱８は、電装品箱８の弾性爪部８５だけでなく、電装品箱８のねじ固定部８６を介して、ねじ８７をパネル２側からケーシング本体１のねじ孔部１１２に取り付けることによっても、ケーシング本体１に固定されている。
【００３６】
すなわち、上記室内機１００では、ケーシング本体１の壁部１１０に設けられた貫通孔１１１と、電装品箱８の第１部分８１に設けられた弾性爪部８５と、ケーシング本体１のねじ穴部１１２と、電装品箱８のねじ固定部８６と、ねじ８７とで、パネル２側から電装品箱８を取り付け可能かつ取り外し可能な電装品箱８の取付構造部を構成している。
【００３７】
上記室内機１００によれば、電装品箱８が、パネル２のパネル開口部２ａから操作基板９０が露出して、操作部９１を操作可能に配置されている。これにより、電装品箱８をケーシングの外部に位置させることなく、操作基板９０の操作部９１を操作できるので、利便性の高い空気調和機の室内機１００を実現できる。
【００３８】
また、操作基板９０が収容された第２部分８２のみがパネル２のパネル開口部２ａから露出するように、電装品箱８が配置されている。これにより、例えば、パネルのパネル開口部から第１部分および第２部分が露出するように電装品箱が配置されている空気調和機の室内機と比べて、パネル２のパネル開口部２ａにおける電装品箱８が占めるスペースを省略して、ケーシングの小型化を図ることができる。
【００３９】
また、電装品箱８が、第２部分８２に設けられ、操作基板９０を露出可能な電装品開口部８３と、この電装品開口部８３を開閉可能に覆うカバー８４とを有している。これにより、操作基板９０を必要なときに容易に露出させることができるので、利便性の高い空気調和機の室内機１００を実現できる。
【００４０】
また、パネル２側から電装品箱８を取り付け可能かつ取り外し可能な電装品箱８の取付構造部をさらに備えている。これにより、パネル２側から、電装品箱８をケーシング本体１に容易に取り付けることができ、また、電装品箱８をケーシング本体１から容易に取り外すことができるので、利便性の高い空気調和機の室内機１００を実現できる。
【００４１】
なお、電装品箱８は、パネル２のパネル開口部２ａから内部に収容された操作基板９０が露出して、操作部９１が操作可能に配置されていればよく、上記実施形態に限定されない。例えば、電装品箱８の形状は、Ｌ字状に限らず、直方体状であってもよい。この場合、電装品箱８は、その長手方向の一端に操作基板９０を配置して、この操作基板９０がパネル開口部２ａから露出するように配置すればよい。
【００４２】
また、例えば、第２部分８２に設けられた電装品開口部８３と、この電装品開口部８３を覆うカバー８４とは、省略してもよいし、第２部分８２の内部に収容された操作基板９０のパネル開口部２ａからの露出を可能にする他の構成を採用してもよい。
【００４３】
また、電装品箱８の取付構造部は、可能ならば省略してもよい。また、電装品箱８の取付構造部は、例えば、電装品箱８のねじ固定部８６と、ねじ８７と、ケーシング本体１のねじ孔部１１２とで構成してもよいし、パネル２側からではなくケーシング本体１の壁部１１０に直交する方向から電装品箱８を着脱するように構成してもよい。
【００４４】
また、遠心ファンは、ターボファン３０に限らず、他の構成の遠心ファンであってもよい。
【００４５】
ターボファン３０、熱交換器４０、および、仕切板５０の一例を図８に示す。図８のケーシング本体１は、吹出口１０側の第１壁部１１と、その第１壁部１１に対向する第２壁部１２と、第１壁部１１と第２壁部１２との間に設けられて互いに対向する第３壁部１３と第４壁部１４とを有する。
【００４６】
熱交換器４０は、平面視において、第１熱交換部４１と、第１熱交換部４１に対してターボファン３０の回転方向の上流側に位置する第２熱交換部４２と、上記第１熱交換部４１に対してターボファン３０の回転方向の下流側に位置する第３熱交換部４３とを有する。
【００４７】
そして、円弧形状の仕切板５０を介して熱交換器４０の両端を連結して、熱交換器４０と仕切板５０によりターボファン３０を囲んでいる。
【００４８】
熱交換器４０の第３熱交換部４３の端部に配管接続部５,６を接続している。また、ケーシング本体１内かつ仕切板５０と第２壁部１２との間の第２壁部１２側に、ドレンポンプ７０を配置している。
【００４９】
なお、熱交換器４０は、第１熱交換部４１、第２熱交換部４２、および、第３熱交換部４３とで構成されている場合に限らず、例えば、円弧形状あるいはＶ字形状を有する熱交換器であってもよい。
【００５０】
上記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【符号の説明】
【００５１】
１  ケーシング本体
１ａ  吸込口
２  パネル
２ａ  パネル開口部
２ｂ  開口面
２ｃ  凹部
２ｄ  貫通孔
３  グリル
４  フィルタ
５，６  冷媒配管接続部
７  ドレンソケット
８  電装品箱
８１  第１部分
８２  第２部分
８３  電装品開口部
８４  カバー
８５  弾性爪部
８６  ねじ固定部
８７  ねじ
１０  吹出口
２０  フラップ
３０  ターボファン
３１  回転軸
３２  ベルマウス
４０  熱交換器
５０  仕切板
６０  ドレンパン
９０  操作基板
９１  操作部
１００  室内機
１０１，１０２，１０３，１０４  吊り金具
１１０，１２０  壁部
１１１  貫通孔
１１２  ねじ孔部
【図１】
2018197639.tif 000003
【図２】
2018197639.tif 000004
【図３】
2018197639.tif 000005
【図４】
2018197639.tif 000006
【図５】
2018197639.tif 000007
【図６】
2018197639.tif 000008
【図７】
2018197639.tif 000009
【図８】
2018197639.tif 000010